(57)【要約】【課題】ピックを簡便に収容・取り出し可能なピックホルダを提供する。【解決手段】  シート部材１０と、その表面に設けられた少なくとも１つの粘着フォーム１２と、その粘着面を覆う剥離可能なフィルム１４と、からピックホルダ１を構成する。それにより、粘着面に一面を着けることでピック２０を容易に保持し、その一面を粘着部から剥がすことでピック２０を容易に取り外すことができるとともに、ピック２０を外した際にフィルム１４を用いて粘着面をカバーすることでその粘着力を維持することができる。【選択図】図１
2015062046.tif 000002
【特許請求の範囲】
【請求項１】
弦楽器の演奏で用いられるピックを保持するピックホルダであって、
シート状の部材と、
前記シート状の部材の表面に設けられた少なくとも１つの粘着部と、
前記粘着部を覆う剥離可能なフィルムと、を備えることを特徴とするピックホルダ。
【請求項２】
前記フィルムの一部は、前記粘着部と離間して前記シート状の部材の表面に配置された固定領域に固定されていることを特徴とする、請求項１に記載のピックホルダ。
【請求項３】
前記シート状の部材の一軸方向の一端を他端に着脱可能に留める留め具をさらに備えることを特徴とする、請求項１又は２に記載のピックホルダ。
【請求項４】
前記粘着部の面積は、前記ピックの一面の面積より小さいことを特徴とする、請求項１〜３のいずれか一項に記載のピックホルダ。 
【発明の詳細な説明】
【技術分野】
【０００１】
本発明は、弦楽器の演奏で用いられるピックを保持するピックホルダに関する。
【背景技術】
【０００２】
ギター、ベース等の弦楽器（撥弦楽器）の奏法の１つに、ピックと呼ばれる小片状の道具を用いて弦を弾くピック奏法がある。ピックは、一辺３ｃｍ程の略三角形状を有し、詳細には正三角形型、おにぎり型、二等辺三角形型（ティアドロップ型）等がある。ピックの素材として、主にプラスティック、セルロイド等の合成樹脂、その他にもデルリン、ゴム、べっ甲、金属等がある。ピックの種類は豊富であり、演奏する楽曲、求める音質等に応じて様々の種類のピックを使い分けるのが通常である。また、ピックの破損、紛失に備えて交換用のピックを用意する場合もある。そこで、複数のピックを収容・取り出しするピックホルダが有用である。
【０００３】
特許文献１には、略平板状の本体部の表面にピックを収容する１以上の収容袋が設けられたピックホルダが開示されている。しかし、ピックを収容袋に収容する構成のホルダでは、ピックが固定されず、また収容袋へのピックの収容及び収容袋からの取り出しに不便である。特に、演奏中にピックを交換する際に要する時間が長く、好ましくない。
【先行技術文献】
【特許文献】
【０００４】
【特許文献１】特開２０１３−８０１６７号公報
【発明の概要】
【発明が解決しようとする課題】
【０００５】
本発明は、ピックを簡便に収容・取り出しすることのできるピックホルダを提供することを課題とする。
【課題を解決するための手段】
【０００６】
本発明は、弦楽器の演奏で用いられるピックを保持するピックホルダであって、シート状の部材と、前記シート状の部材の表面に設けられた少なくとも１つの粘着部と、前記粘着部を覆う剥離可能なフィルムと、を備えるピックホルダである。
【０００７】
これによれば、粘着部に一面を着けることでピックを容易に保持し、その一面を粘着部から剥がすことでピックを容易に取り外すことができるとともに、ピックを外した際にフィルムを用いて粘着部を覆うことでその粘着力を維持することができる。
【０００８】
本発明のピックホルダは、前記フィルムの一部は、前記粘着部と離間して前記シート状の部材の表面に配置された固定領域に固定されている。
【０００９】
これによれば、固定領域を上に、粘着部を下に向けてピックホルダを固定した状態において粘着部からピックを取り外した際に、固定領域からフィルムが垂れ下がることで自然に粘着部が覆われる。
【００１０】
本発明のピックホルダは、前記シート状の部材の一軸方向の一端を他端に着脱可能に留める留め具をさらに備える。
【００１１】
これによれば、シート状の部材を巻きつけ、留め具を用いてその両端を留めることで、ピックホルダを被固定物（例えばベルト）に固定することができる。
【００１２】
本発明のピックホルダは、前記粘着部の面積は、前記ピックの一面の面積より小さい。
【００１３】
これによれば、ピックを容易に取り外すことができる。
【発明の効果】
【００１４】
本発明のピックホルダによれば、ピックを何度も簡便に収容・取り出し可能なピックホルダを提供することができる。
【図面の簡単な説明】
【００１５】
【図１】図１は、本実施形態に係るピックホルダの全体構成を示す図である。
【図２】図２（Ａ）〜（Ｃ）は、それぞれ、ピックホルダをベルトに装着した状態を示す正面図及び側面図、並びにピックを収容及び取り出す際のピックホルダの状態を示す側面図である。
【発明を実施するための形態】
【００１６】
以下、本発明の一実施形態について、図１及び２を用いて説明する。
【００１７】
図１に、本実施形態に係るピックホルダ１の全体構成を示す。ピックホルダ１は、シート部材１０、３つの粘着フォーム１２、フィルム１４、２つの留め具１６（１６ａ，１６ｂ）から構成される。
【００１８】
シート部材１０は、幅約１０ｃｍ、高さ約１５ｃｍの矩形状を有する。その４つの角部は丸く加工されている。なお、上端から約６ｃｍ、下端から約２ｃｍの位置に、それぞれ、基準線（折り曲げのための仮想線）Ｌ１，Ｌ２が幅方向に延びる。
【００１９】
シート部材１０は、皮革、布、ラバー、合成樹脂等を用いて構成することができる。ただし、基準線Ｌ１，Ｌ２近傍のみ或いは全体が柔軟であり、基準線Ｌ１，Ｌ２に沿って折り曲げることができることとする。
【００２０】
３つの粘着フォーム１２は、シート部材１０の上端から約３．５ｃｍの位置に幅方向に約３．５ｃｍの間隔を隔てて配設されている。粘着フォーム１２は、例えば、直径１．５ｃｍの円形状の紙片の両面にアクリル系粘着剤等の粘着剤を塗布して構成される。粘着フォーム１２の下面がシート部材１０の表面に剥離困難に接着され、上面は後述するフィルム１４によりカバーされる。なお、粘着フォーム１２の上面が、ピック２０に粘着して固定する粘着面の役割を果たす。
【００２１】
フィルム１４は、幅約１０ｃｍ、高さ約４ｃｍの矩形状を有する。フィルム１４の上端の５ｍｍ程度の部分（固定部）１４ａがシート部材１０の上端から約１ｃｍに位置に熱圧着（溶着、縫着等でもよい）され、フィルム１４の本体部が３つの粘着フォーム１２の粘着面をカバーする。フィルム１４は、塩化ビニル等の合成樹脂を用いて柔軟に構成され、粘着フォーム１２の粘着面から容易に剥離することができる。それにより、粘着フォーム１２（粘着面）の粘着力が維持される。
【００２２】
留め具１６（図２参照）は、雄部１６ａと雌部１６ｂから構成される。２つの雄部１６ａは、シート部材１０の下端に幅方向に約５．５ｃｍ離間して固定されている。２つの雌部１６ｂは、シート部材１０の上端に幅方向に約５．５ｃｍ離間して固定されている。後述するようにシート部材１０を基準線Ｌ１，Ｌ２に沿って折り曲げ、雄部１６ａの凸部を雌部１６ｂの凹部に嵌入することでシート部材１０の上端と下端とを着脱可能に留めることができる。
【００２３】
本実施形態のピックホルダ１の使用方法について説明する。
【００２４】
図２（Ａ）及び（Ｂ）に、それぞれ、ピックホルダ１をベルト２５に装着した状態を示す正面図及び側面図を与える。なお、ベルト２５は、約５ｃｍ或いはそれ以下の幅ベルト状部材であり、弦楽器を肩から下げるためのストラップ、ズボンのベルト等を含む。
【００２５】
まず、ピックホルダ１を、その裏面をベルト２５の表面に対向して、ベルト２５に巻きつける。ここで、ピックホルダ１（シート部材１０）を基準線Ｌ１，Ｌ２（図１参照）のそれぞれに沿って山折に折り曲げてベルト２５に巻きつけることで、ピックホルダ１（シート部材１０）の下端に固定された雄部１６ａの凸部が上端に固定された雌部１６ｂの凹部上に位置決めされる（図２（Ｂ）参照）。次に、雄部１６ａの凸部を雌部１６ｂの凹部に嵌入して、ピックホルダ１（シート部材１０）の上端と下端とを着脱可能に留める。これにより、ピックホルダ１が、フィルム１４の固定部１４ａを上に、粘着フォーム１２の粘着面を下にして、ベルト２５に装着される。最後に、フィルム１４の下端を手指で摘んで粘着フォーム１２の粘着面から剥し、ピック２０の一面を粘着面に着けることで、ピック２０がピックホルダ１に固定される。
【００２６】
ピック２０をピックホルダ１から取り出す際には、図２（Ｃ）に示すように、フィルム１４の下端を捲り、ピック２０を手指で挟んで、粘着フォーム１２の粘着面から剥し取る。また、フィルム１４の下端を捲ることなく、フィルム１４の下端から突出したピック２０の先端を手指で挟んでもよい。ここで、粘着面の面積はピックの一面の面積より小さい。それにより、粘着面からピックを容易に取り外すことができる。また、フィルム１４は柔軟であるため、ピック２０を粘着面から取り外した後、フィルム１４は固定部１４ａから垂れ下がることで自然に粘着面を覆う。それにより、ピック２０を簡便に取り出すことができ、且つ粘着フォーム１２（粘着面）の粘着力を維持することができる。
【００２７】
以上詳細に説明したように、本実施形態のピックホルダ１は、シート部材１０と、その表面に設けられた少なくとも１つの粘着フォーム１２と、その粘着面を覆う剥離可能なフィルム１４と、から構成される。それにより、粘着面に一面を着けることでピック２０を容易に保持し、その一面を粘着部から剥がすことでピック２０を容易に取り外すことができるとともに、ピック２０を外した際にフィルム１４を用いて粘着面をカバーすることでその粘着力を維持することができる。従って、ピック２０を何度も簡便に収容・取り出し可能なピックホルダ１が提供される。
【００２８】
なお、本実施形態ではピックホルダ１を弦楽器を肩から下げるためのストラップ、ズボンのベルト等に装着するものとして説明したが、マイクスタンド、譜面台等、ベルト状のもの以外のものに装着することとしてもよい。
【００２９】
また、ピックホルダ１（シート部材１０）の大きさ、形状は一例であり、ベルト等に装着することができれば任意に選択することができる。
【００３０】
また、粘着フォーム１２の配置、形状、数は一例であり、ピックを携帯するのに好適に選択することができる。また、粘着フォーム１２の素材、構成もピックに粘着して固定することができれば任意に選択することができる。例えばシート部材１０の表面に粘着剤を塗布して、ピックに粘着して固定する粘着部を構成することとしてもよい。
【００３１】
また、フィルム１４の大きさ、形状も一例であり、粘着フォーム１２の粘着面をカバーするのに好適に選択することができる。例えば、３つの粘着フォーム１２の粘着面をそれぞれカバーする３つのフィルム１４を個別にシート部材１０に固定してもよい。
【００３２】
また、留め具１６の構成も一例であり、ピン、面ファスナ等を用いてシート部材１０の上端と下端とを着脱可能に留めるものを採用してもよい。
【産業上の利用可能性】
【００３３】
本発明のピックホルダは、弦楽器の演奏で用いられるピックを携帯するのに好適である。
【符号の説明】
【００３４】
１…ピックホルダ
１０…シート部材
１２…粘着フォーム
１４（１４ａ）…フィルム（固定部）
１６（１６ａ，１６ｂ）…留め具（雄部、雌部）
２０…ピック
２５…ベルト 
【図１】
2015062046.tif 000003
【図２】
2015062046.tif 000004